(57)【要約】      （修正有）【課題】天ぷら油火災発生時などにおける初期消火のために、簡単に使用でき、消火可能な簡易消火器具を提供する。【解決手段】取っ手棒の先端に取り付けた高吸水性樹脂を内包した袋状体からなる簡易消火器具であって、高吸水性樹脂が高温に曝されると水分が気化する際の気化熱により天ぷら油の熱量を奪い、天ぷら油火災発生時などにおいて初期消火できる。高吸水性樹脂（有機物・無機物水溶液：重炭酸アンモニウム、第二リン酸アンモニウム、硫酸アンモニウム、炭酸カリウム及び食塩の一種以上の水溶液を吸水させた）を内包した袋状体からなる簡易消火器具であって、高吸水性樹脂が高温に曝されると水分が気化する際の気化熱により天ぷら油の熱量を奪い、且つ、二酸化炭素、アンモニアガスからなる消火ガスにより天ぷら油火災発生時などにおいて初期消火できる。【選択図】図２
0003139965.tif 000002
【実用新案登録請求の範囲】
【請求項１】
取っ手棒４（伸縮自在又は棒）と、この取っ手棒４の先端部５に紐状体６を介して消火剤を内包した容器２を取り付けた簡易消火器具であって、該消火剤３高吸水性樹脂からなることを特徴とする簡易消火器具。
【請求項２】
上記高吸水性樹脂に吸水させた水が火炎又は高温に曝された部分より、高吸水性樹脂に吸水された水が放出されることを特徴とする請求項１に記載の簡易消火器具。
【請求項３】
該消火剤３が高吸水性樹脂に水を吸水させたものと有機物水溶液を吸水させたものの混合物からなることを特徴とする請求項１に記載の簡易消火器具。
【請求項４】
上記高吸水性樹脂に有機物水溶液を吸水させた一種以上を主成分とする消火液であることを特徴とする請求項１に記載の簡易消火器具。
【請求項５】
上記有機水溶液は、重炭酸アンモニウム、第二リン酸アンモニウム、硫酸アンモニウムなどの組成物を各々０．５〜１０質量％濃度に水で希釈し、一種以上を主成分とする消火液であることを特徴とする請求項１に記載の簡易消火器具。
【請求項６】
高吸水性樹脂としては、ポリアクリル酸塩系、でんぷん−アクリル酸グラフト系、ポリビニルアルコール系、酢酸ビニル−アクリル酸塩系、イソブチレン−マレイン酸系を主成分とするものからなる請求項２〜５の簡易消火器具。
【請求項７】
取っ手棒４の先端部５の一部が２００℃以下で軟化破断することを特徴する請求項１〜６に記載の簡易消火器具。
【請求項８】
紐状体６が高温で容易に軟化破断する材料からなり、内包された水を吸水した高吸水性樹脂及び有機物水溶液を吸水した高吸水性樹脂が放出されることを特徴とする請求項１〜７に記載の簡易消火
【請求項９】
容器２が気密性の袋体からなることを特徴とする請求項１〜７に記載の簡易消火器具。
【考案の詳細な説明】
【技術分野】
【０００１】  本考案は、家庭内、レストラン、ホテル等での台所、調理場、厨房などの小規模火災発生時（特に天ぷら油火災）などにおける初期消火に誰もが容易に使用できる簡易消火器具に関するものである。
【背景技術】
【０００２】  従来より家庭内などに設置されている消火器具として、ＡＢＣ粉末消火器が一般的である。小型軽量と称して簡易消火具も市販されている。例えば、商品名「フラワー消火」として供されているものがある。（実公昭５８−４１９８１）【０００３】  しかしながら、これらの技術に開示されている消火剤は、例えば天ぷら油料理を調理している天ぷら鍋の天ぷら油に着火燃焼するような火災発生時において、発泡することによって空気を遮断し、消火するものである。しかし、発泡展開に時間を要するため完全消火に数十秒要する。火災発生時、慌てている中で数十秒は長い時間であると思われる。
【考案が解決しようとする課題】
【０００４】  以上のように、家庭内での天ぷら油火災発生時、初期消火のための使用が簡単な安心して使える簡易消火器を提供することである。
【課題を解決するための手段】
【０００５】  上記課題を解決するものとして、本考案による簡易消火器は、水を吸油させた高吸水性樹脂と有機物・無機物水溶液を吸水させた高吸水性樹脂を内包した容器、もしくは、水を吸水させた高吸水性樹脂を内包した容器もしくは有機物水溶液を吸水させた高吸水性樹脂を内包したこの容器を先端に取り付けた取っ手棒（伸縮自在又は棒）により構成される。
【０００６】  すなわち、以下の特徴を有する簡易消火器により上記課題が解決される。（請求項１）取っ手棒４（伸縮自在又は棒）と、この取っ手棒４の先端部５に紐状体６を介して消火剤を内包した容器２を取り付けた簡易消火器具であって、該消火剤３高吸水性樹脂からなることを特徴とする簡易消火器具。（請求項２）上記高吸水性樹脂に吸水させた水が火炎又は高温に曝された部分より、高吸水性樹脂に吸水された水が放出されることを特徴とする請求項１に記載の簡易消火器具。（請求項３）該消火剤３が高吸水性樹脂に水を吸水させたものと有機物水溶液を混合させたものからなることを特徴とする請求項１に記載の簡易消火器具。（請求項４）上記高吸水性樹脂に吸水させた消火液が有機物水溶液の一種以上を主成分とする液体混合液であることを特徴とする請求項１に記載の簡易消火器具。（請求項５）上記有機水溶液は、重炭酸アンモニウム、第二リン酸アンモニウム、硫酸アンモニウムなどの組成物を各々０．５〜１０質量％濃度に水で希釈し、一種以上を主成分とする消火液であることを特徴とする請求項１に記載の簡易消火器具。（請求項６）高吸水性樹脂としては、ポリアクリル酸塩系、でんぷん−アクリル酸グラフト系、ポリビニルアルコール系、酢酸ビニル−アクリル酸塩系、イソブチレン−マレイン酸系を主成分とするものからなる請求項２〜５の簡易消火器具。（請求項７）取っ手棒４の先端部５の一部が２００℃以下で軟化破断することを特徴する請求項１〜６に記載の簡易消火器具。（請求項８）紐状体６が高温で容易に軟化破断する材料からなり、内包された水を吸水した高吸水性樹脂及び有機物水溶液を吸水した高吸水性樹脂が放出されることを特徴とする請求項１〜７に記載の簡易消火容器２が気密性の袋体からなることを特徴とする請求項１〜７に記載の簡易消火器具。（請求項９）容器２が気密性の袋体からなることを特徴とする請求項１〜７に記載の簡易消火器具。
【作用】
【０００７】  本考案に係わる、簡易消火器具は、取り出しやすい場所に常置しておき、火災時、取っ手棒の基端部を片手で持って容器部分を天ぷら鍋に投入すれば火災によって、容器が取っ手棒からはずれ、天ぷら油面の高温に曝された部分の高吸水性樹脂が溶解又は分解することによって、含有架橋体の水を放出し、水が水蒸気になるときの気化熱（潜熱）で天ぷら油より熱量を奪い、冷却消火する。天ぷら油の温度を引火点以下に下げる働きがある。高吸水性樹脂が発泡し、発泡樹脂が火炎及び高温の油面を覆って、空気を遮断して消火する。
【考案実施の形態】
【０００８】  本考案において、使用される高吸水性樹脂（水を吸水させた）もしくは高吸水性樹脂（有機物水溶液を吸水させた）の容器は球状、筒状、角柱状、袋状、板状などの任意の形状を使用することも出来、気密性のあるものを用いる事ができる。容器は透明、半透明あるいは不透明でも良い。
【０００９】  消火のために、容器が火中に投入され、内包された高吸水性樹脂に吸水された水が油面及び高温に曝された部分より水が放出され、気化することにより、気化熱（潜熱）で天ぷら油の熱量を奪い温度を下げ、消火する。用いる高吸水性樹脂に吸水させた水の量は天ぷら油１リットルに対し２００ｍｌ以上が好ましい。用いる高吸水性樹脂に吸水された有機物水溶液の量は天ぷら油１リットルに対し２００ｍｌ以上が好ましい。
【００１０】  高吸水性樹脂（水を吸水させた）と高吸水性樹脂（有機物水溶液を吸水させた）の組合せを図６〜図８に示す。
【００１１】  従って、用いられる容器の材質あるいは材料として、容器が気密性の場合は、例えば、天ぷら油火災のような高温（３５０℃以上）の場合、火炎や油温で容器が消失するか、軟化・溶融して少なくとも一部が破壊して、高吸水性樹脂（水を吸水させた）及び高吸水性樹脂（有機物水溶液を吸水させた）が放出されればよい。従って、天然樹脂、紙やセルロース改質合成樹脂は、火炎で消失するので好ましい。合成樹脂が用いられる場合はその軟化あるいは溶融温度が火災時の油温以下であればよい。ポリエチレン、ポリプロピレン、ナイロン、ポリエチレンテレフタート、ポリ塩化ビニール、ポリスチレンなどが用いられる。これらのブレンドも用いることができる。
【００１２】  有機水溶液は、重炭酸アンモニウム、第二リン酸アンモニウム、硫酸アンモニウムなどの組成物を各々０．５〜１０質量％濃度に水で希釈し、一種以上を主成分とする消火液である。これらの組成物を添加することにより、同条件で消火時間が５％以上改善される効果がある。
【００１３】  高吸水性樹脂（水を吸水させた）の吸水の仕組みを図４に示す。
【００１４】  高吸水性樹脂（有機物水溶液を吸水させた）の吸水の仕組みを図５に示す。
【００１５】  取っ手棒の材料はアルミニウム、ステンレスなどの金属、あるいはポリエチレン、ポリプロピレン、ナイロン、ポリエチレンテレフタレート、ポリ塩化ビニール、ポリスチレンなどの合成樹脂、複合合成樹脂材などを用いることが出来る。
【００１６】  取っ手棒の先端部に紐状体を介して消火剤を内包した容器を吊るす紐状体の材料は、火災で消失あるいは軟化、溶融して破断するものなら何でも良い。天然繊維や合成繊維が好ましく用いられる。
【効果】
【００１７】  この簡易消火器具では、容器部分を天ぷら油火災中の天ぷら鍋に投入した途端から１５秒以内に完全消火し、再着火することがない。天ぷら油火災で慌てている当事者にとって消火できることは安心であり、大きな利点である。
【実施例１】
【００１８】  本考案に基づく実施例について、図１を参照して説明する。図１には、取っ手棒４（伸縮自在又は棒）と、この取っ手棒４の先端５に紐状体６を介して消火剤を内包した容器２を火災が発生した天ぷら鍋８の中に片手を伸ばし投入されている状態が示されている。本実施例ではステンレス製のものを使用した。ここでの取っ手棒４は、角筒状の伸縮自在又は棒でもよい。【００１９】  容器２は合成樹脂からなる袋体であるが、この容器２は燃焼中の天ぷら鍋８（天ぷら油量約１リットル注入）の中に投入されると、火炎によって瞬時に消失し、内包された高吸水性樹脂（高吸水性樹脂２ｇに水を４５０ｍｌ吸水させた）が容器から放出されて天ぷら鍋８の天ぷら油中（油温約３５０℃〜３７０℃）に落下するとともに、高吸水性樹脂が高温に曝されることにより、吸水された水が放出され水蒸気になり、この時の気化熱（潜熱）により、天ぷら油の熱を奪い消火し、高吸水性樹脂が高温に曝されると発泡し、この発泡樹脂が油面を覆って消火する。容器２を火災発生中の天ぷら鍋に投入してから消火までの時間は１４秒以内であった。そして再引火することはなかった。【００２０】  天ぷら油は酸化の進んだ古い油から新しい油まで、自然発火温度は３００℃〜３７０℃といわれている。本実施例では燃焼時の油温度は約３５０℃であった。
【実施例２】
【００２１】本考案に基づく実施例について、図２を参照して説明する。
容器２は合成樹脂からなる袋体であるが、この容器２は燃焼中の天ぷら鍋８（天ぷら油量約１リットル注入）の中に投入されると、火炎によって瞬時に消失し、内包された高吸水性樹脂（高吸水性樹脂２ｇに水２２５ｍｌを吸水させたもの）と高吸水性樹脂（水１リットルに重炭酸アンモニウムを１０ｇ混ぜた水溶液２２５ｍｌを高吸水性樹脂２ｇに吸水させた）が容器から放出されて天ぷら鍋８の天ぷら油中（油温約３５０℃）に落下するとともに、高吸水性樹脂に含有にされた水が気化し、水蒸気になり、この時の気化熱（潜熱）により、天ぷら油の熱を奪い消火し、又、高吸水性樹脂が発泡し、発泡樹脂が火炎及び油面を覆って消火する。同時に高吸水性樹脂の重炭酸アンモニウム水溶液が高温の天ぷら油に曝されることにより、二酸化炭素、アンモニアガスが火炎及び油面を覆って消火する。容器２を火災発生中の天ぷら鍋に投入してから消火までの時間は１２秒以内であった。そして再引火することはなかった。【００２２】  高吸水性樹脂（高吸水性樹脂４ｇに水４５０ｍｌを吸水させたもの）の効果は、天ぷら油の比熱≒０．５、比重≒０．９、１０００ｍｌの天ぷら油の重さは≒９００ｇ天ぷら油９００ｇ（油温３５０℃）の熱量＝０．５×９００ｇ×３５０℃＝１５７，５００ｃａｌ＝１５７．５Ｋｃａｌ、水４５０ｇを油温３５０℃の天ぷら油に投入した場合、奪う熱量は＝４５０ｇ×５３９ｃａｌ＝２４２，５５０ｃａｌ＝２４２．６Ｋｃａｌ、結果天ぷら池の油温は降下し、再着火することはない。高吸水性樹脂（高吸水性樹脂４ｇに水４５０ｍｌを吸水させたもの）を多く投入するのは消火時間の短縮を図るためである。
【実施例３】
【００２３】  本考案に基づく実施例について、図２を参照して説明する。
容器２は合成樹脂からなる袋体であるが、この容器２は燃焼中の天ぷら鍋８（天ぷら油量約１リットル注入）の中に投入されると、火炎によって瞬時に消失し内包された高吸水性樹脂（水１リットルに重炭酸アンモニウムを１０ｇ混ぜた水溶液４５０ｍｌを高吸水性樹脂２ｇに吸水させた高吸水性樹脂）が容器から放出されて天ぷら鍋８の天ぷら油中（油温約３５０℃）に落下するとともに、高吸水性樹脂に含有された水が気化し、水蒸気になり、この時の気化熱（潜熱）により、天ぷら油の熱を奪い消火し、又、高吸水性樹脂が発泡し、発泡樹脂が火炎及び油面を覆って消火する。同時に高吸水性樹脂の重炭酸アンモニウム水溶液が高温の天ぷら油に曝されることにより、二酸化炭素、アンモニアガスが火炎及び油面を覆って消火する。容器２を火災発生中の天ぷら鍋に投入してから消火までの時間は１２秒以内であった。そして再引火することはなかった。
【実施例４】
【００２４】  本考案に基づく実施例について、図３を参照して説明する。
実施例４は内包された高吸水性樹脂（高吸水性樹脂２ｇに水４００ｍｌを吸水させたもの）が容器から放出されて天ぷら鍋８の天ぷら油中（油温約３５０℃）に落下するとともに、高吸水性樹脂の水分が高温の天ぷら油に曝されることにより、水蒸気になり、この時の気化熱（潜熱）により、天ぷら油の熱量を奪い消火し、又、高吸水性樹脂が発泡し、発泡樹脂が火炎及び油面を覆って消火する。容器２を火災発生中の天ぷら鍋に投入してから消火までの時間は１７秒以内であった。そして再引火することはなかった。
【図面の簡単な説明】
【００２５】
【図１】本考案の簡易消火器具の実施図
【図２】本考案の簡易消火器具の実施図
【図３】本考案の簡易消火器具の実施図
【図４】高吸水性樹脂の吸水の仕組み
【図５】高吸水性樹脂の吸水（有機物水溶液）の仕組み
【図６】高吸水性樹脂（水を吸水させたもの）と高吸水性樹脂（有機物水溶液を吸水させたもの）組合せ
【図７】高吸水性樹脂（水を吸水させたもの）と高吸水性樹脂（有機物水溶液を吸水させたもの）組合せ
【図８】高吸水性樹脂（水を吸水させたもの）と高吸水性樹脂（有機物水溶液を吸水させたもの）組合せ
【符号の説明】
【００２６】１簡易消火器具
２容器
３消火剤〔高吸水性樹脂（水を吸水させたもの）もしくは高吸水性樹脂（有機物水溶液を吸水させたもの）〕
４取っ手棒
５取っ手棒の先端部
６紐状体
７取っ手棒の基端部
８天ぷら鍋
【図１】
0003139965.tif 000003
【図２】
0003139965.tif 000004
【図３】
0003139965.tif 000005
【図４】
0003139965.tif 000006
【図５】
0003139965.tif 000007
【図６】
0003139965.tif 000008
【図７】
0003139965.tif 000009
【図８】
0003139965.tif 000010
【手続補正書】
【提出日】平成19年6月21日(2007.6.21)
【手続補正１】
【補正対象書類名】実用新案登録請求の範囲
【補正対象項目名】全文
【補正方法】変更
【補正の内容】
【実用新案登録請求の範囲】
【請求項１】
取っ手棒４（伸縮自在又は棒）と、この取っ手棒４の先端部５に紐状体６を介して消火剤を内包した容器２を取り付けた簡易消火器具であって、該消火剤３が高吸水性樹脂からなることを特徴とする簡易消火器具。
【手続補正書】
【提出日】平成19年8月24日(2007.8.24)
【手続補正１】
【補正対象書類名】実用新案登録請求の範囲
【補正対象項目名】請求項１
【補正方法】変更
【補正の内容】
【請求項１】
伸縮自在な取っ手棒４と、この伸縮自在な取っ手棒４の先端部５に紐状体６を介して消火剤を内包した容器２を取り付けた簡易消火器具であって、該消火剤３が高吸水性樹脂からなることを特徴とする簡易消火器具。
【手続補正書】
【提出日】平成19年11月26日(2007.11.26)
【手続補正１】
【補正対象書類名】実用新案登録請求の範囲
【補正対象項目名】請求項６
【補正方法】変更
【補正の内容】
【請求項６】
高吸水性樹脂としては、ポリアクリル酸塩系、でんぷん−アクリル酸グラフト系、ポリビニルアルコール系、酢酸ビニル−アクリル酸塩系、イソブチレン−マレイン酸系を主成分とするものからなる請求項１〜５のいずれか一項に記載の簡易消化器具。
【手続補正２】
【補正対象書類名】実用新案登録請求の範囲
【補正対象項目名】請求項７
【補正方法】変更
【補正の内容】
【請求項７】
取って棒４の先端部５の一部が２００℃以下で軟化破断することを特徴とする請求項１〜６のいずれか一項に記載の簡易消化器具。
【手続補正３】
【補正対象書類名】実用新案登録請求の範囲
【補正対象項目名】請求項８
【補正方法】変更
【補正の内容】
【請求項８】
紐状体６が高温で容易に軟化破断する材料からなり、内包された水を吸水した高吸水性樹脂及び有機物水溶液を吸水した高吸水性樹脂が放出されることを特徴とする請求項１〜７のいずれか一項に記載の簡易消火器具。
【手続補正４】
【補正対象書類名】実用新案登録請求の範囲
【補正対象項目名】請求項９
【補正方法】変更
【補正の内容】
【請求項９】
容器２が気密性の袋体からなることを特徴とする請求項１〜８のいずれか一項に記載の簡易消火器具。
【手続補正５】
【補正対象書類名】明細書
【補正対象項目名】０００６
【補正方法】変更
【補正の内容】
【０００６】すなわち、以下の特徴を有する簡易消火器により上記課題が解決される。（請求項１）伸縮自在な取っ手棒４と、この伸縮自在な取って棒４の先端部５に紐状体６を介して消火剤を内包した容器２を取り付けた簡易消火器具であって、該消火剤３が高吸水性樹脂からなることを特徴とする簡易消火器具。（請求項２）上記高吸水性樹脂に吸水させた水が火炎又は高温に曝された部分より、高吸水性樹脂に吸水された水が放出されることを特徴とする請求項１に記載の簡易消火器具。（請求項３）該消火剤３が高吸水性樹脂に水を吸水させたものと有機物水溶液を混合させたものからなることを特徴とする請求項１に記載の簡易消火器具。（請求項４）上記高吸水性樹脂に吸水させた消火液が有機物水溶液の一種以上を主成分とする液体混合液であることを特徴とする請求項１に記載の簡易消火器具。（請求項５）上記有機水溶液は、重炭酸アンモニウム、第二リン酸アンモニウム、硫酸アンモニウムなどの組成物を各々０．５〜１０質量％濃度に水で希釈し、一種以上を主成分とする消火液であることを特徴とする請求項１に記載の簡易消火器具。（請求項６）高吸水性樹脂としては、ポリアクリル酸塩系、でんぷん−アクリル酸グラフト系、ポリビニルアルコール系、酢酸ビニル−アクリル酸塩系、イソブチレン−マレイン酸系を主成分とするものからなる請求項１〜５のいずれか一項に記載の簡易消化器具。（請求項７）取って棒４の先端部５の一部が２００℃以下で軟化破断することを特徴とする請求項１〜６のいずれか一項に記載の簡易消化器具。（請求項８）紐状体６が高温で容易に軟化破断する材料からなり、内包された水を吸水した高吸水性樹脂及び有機物水溶液を吸水した高吸水性樹脂が放出されることを特徴とする請求項１〜７のいずれか一項に記載の簡易消火器具。（請求項９）容器２が気密性の袋体からなることを特徴とする請求項１〜８のいずれか一項に記載の簡易消火器具。